【手続補正書】
【提出日】平成18年6月15日(2006.6.15)
【手続補正１】
【補正対象書類名】明細書
【補正対象項目名】発明の名称
【補正方法】変更
【補正の内容】
【発明の名称】データ移行方法、ディスク装置のインターフェースコマンド制御方法ならびに計算機システム
【手続補正２】
【補正対象書類名】明細書
【補正対象項目名】特許請求の範囲
【補正方法】変更
【補正の内容】
【特許請求の範囲】
【請求項１】
１つまたは複数のホスト計算機と、該ホスト計算機に先行して接続された移行元ディスク装置と、上記ホスト計算機にスイッチを介して新たに接続された移行先ディスク装置とを含む計算機システムのディスク装置インタフェースコマンド制御方法において、
上記ホスト計算機と移行元ディスク装置とを、移行先ディスク装置を接続したスイッチを介して切替接続し、
上記スイッチを介して移行元ディスク装置から移行先ディスク装置にデータを移行し
上記のスイッチにより、ホスト計算機からのインタフェースコマンドとしてのディスク識別の問い合わせコマンドとデータの入出力コマンドとを判別し、
該判別されたディスク識別の問い合わせコマンドを移行元ディスク装置に伝達することを特徴とするディスク装置のインタフェースコマンド制御方法。
【請求項２】
上記の移行元ディスク装置から移行先ディスク装置へのデータの移行は、上記のスイッチが備えるオンラインデータ移行機能によって行われることを特徴とする請求項１に記載のディスク装置のインタフェースコマンド制御方法。
【請求項３】
上記の移行元ディスク装置および移行先ディスク装置は、上記の１つまたは複数のホスト計算機からのSCSIコマンドにより動作し、上記ホスト計算機がディスク装置を識別するために使用するSCSIコマンドは、データ移行後も移行前と同一のディスク装置として扱えるようにデータ交換を行い、インタフェースコマンドにおけるディスク固有情報における不整合性を回避することを特徴とする請求項１に記載のディスク装置のインタフェースコマンド制御方法。
【請求項４】
１つまたは複数のホスト計算機と、該ホスト計算機に先行して接続された移行元ディスク装置と、上記ホスト計算機にスイッチを介して新たに接続された移行先ディスク装置とを含む計算機システムにおいて、
上記ホスト計算機と移行元ディスク装置とを、移行先ディスク装置を接続したスイッチを介して切替接続するアクセス経路と、
上記スイッチを介して移行元ディスク装置から移行先ディスク装置にデータを移行する手段と
上記のスイッチにより、ホスト計算機からのインタフェースコマンドとしてのディスク識別の問い合わせコマンドとデータの入出力コマンドとを判別する手段と、
該判別されたディスク識別の問い合わせコマンドを移行元ディスク装置に伝達するアクセス経路とを有し、
かつ、上記のホスト計算機と移行元ディスク装置、ホスト計算機とスイッチ、スイッチと移行元ディスク装置、スイッチと移行先ディスク装置が、それぞれ少なくとも１つのファイバーチャネルまたはSCSIで接続されていることを特徴とする計算機システム。
【請求項５】
上記の複数のホスト計算機が少なくともひとつの移行元ディスク装置を共有することを特徴とする請求項４に記載の計算機システム。
【請求項６】
上記のデータ移行後に、移行元ディスク装置をデータ格納のために再利用することを特徴とする請求項４又は５に記載の計算機システム。
【請求項７】
少なくとも１つのホスト計算機と、データ移行前に第一のアクセス経路と第二のアクセス経路によって上記ホスト計算機に接続されるデータ移行元のディスク装置と、上記ホスト計算機にスイッチを介して新たに接続されるデータ移行先ディスク装置とを含む計算機システムにおけるデータ移行方法において、
上記ホスト計算機が上記第二のアクセス経路で上記移行元ディスク装置へのアクセスを継続した状態で、上記移行元ディスク装置の第一のアクセス経路を上記スイッチを介して上記ホスト計算機に接続するように切り替え、
上記移行元ディスク装置の第二のアクセス経路を上記スイッチを介して上記ホスト計算機に接続するようにし、
上記移行元ディスク装置から移行先ディスク装置に上記スイッチを介してデータを移行し、
上記スイッチが、上記ホスト計算機からのインターフェースコマンドとしてディスク識別を決定するコマンドか、データの入出力コマンドかを識別し、
上記ディスク識別を決定する上記コマンドを上記移行元ディスク装置に伝達することを特徴とするデータ移行方法。
【請求項８】
上記の移行元ディスク装置から移行先ディスク装置へのデータの移行は、上記のスイッチが備えるオンラインデータ移行機能によって行われることを特徴とする請求項７に記載のデータ移行方法。
【請求項９】
上記の移行元ディスク装置および移行先ディスク装置は、上記の少なくとも１つのホスト計算機からのSCSIコマンドにより動作し、上記ホスト計算機がディスク装置を識別するために使用するSCSIコマンドは、データ移行後も移行前と同一のディスク装置として扱えるようにデータ交換を行い、インタフェースコマンドにおけるディスク固有情報における不整合性を回避することを特徴とする請求項７に記載のデータ移行方法。
【請求項１０】
少なくとも１つのホスト計算機と、データ移行前に第一のアクセス経路と第二のアクセス経路を介して上記ホスト計算機に接続される移行元ディスク装置と、スイッチを介して上記ホスト計算機に新たに接続される移行先ディスク装置とを含む計算機システムにおいて、
上記第一のアクセス経路は、上記スイッチを介して上記ホスト計算機を移行元ディスク装置に切替接続するアクセス経路であり、
上記ホスト計算機は上記第二のアクセス経路を用いて上記移行元ディスク装置へのアクセスを継続し、
上記第二のアクセス経路は、上記スイッチを介して上記ホスト計算機を上記移行元ディスク装置に切り替え接続するアクセス経路であり、
上記スイッチを介して移行元ディスク装置から移行先ディスク装置にデータを移行する手段と、
上記のスイッチにより、ホスト計算機からのインタフェースコマンドとしてのデータの入出力コマンドとディスク識別の問い合わせコマンドとを判別する手段と、
上記判別されたディスク識別の問い合わせコマンドを移行元ディスク装置に伝達するアクセス経路とを有し、
かつ、上記のホスト計算機と移行元ディスク装置、ホスト計算機とスイッチ、スイッチと移行元ディスク装置、スイッチと移行先ディスク装置が、それぞれ少なくとも１つのファイバーチャネルまたはSCSIで接続されていることを特徴とする計算機システム。
【請求項１１】
上記の複数のホスト計算機が少なくとも１つの移行元ディスク装置を共有することを特徴とする請求項１０に記載の計算機システム。
【請求項１２】
上記のデータ移行後に、移行元ディスク装置をデータ格納のために再利用することを特徴とする請求項１０に記載の計算機システム。
【手続補正３】
【補正対象書類名】明細書
【補正対象項目名】０００１
【補正方法】変更
【補正の内容】
【０００１】
本発明は、ディスク装置のオンラインデータ移行の技術、即ち、ホスト計算機の業務をほぼ継続したまま、その業務で処理するデータを格納したディスク装置の内容を他のディスク装置に移行する方法、ディスク装置のインターフェースコマンド制御方法および計算機システムに関する。
【手続補正４】
【補正対象書類名】明細書
【補正対象項目名】０００７
【補正方法】変更
【補正の内容】
【０００７】
本発明の目的は、移行元ディスク装置から移行先ディスク装置へのデータ移行手順に伴う上記不整合によるホスト計算機からディスク装置へのアクセスの停止が一切ない、無停止でのデータ移行方法、インターフェースコマンド制御技術（制御方法および計算機システム）を提供することにある。